(57)【要約】【課題】誘導灯の点検作業を容易に行うことができ、また点灯時間の判定と、バッテリ寿命時間の判定を容易に行うことができる誘導灯を提供することを課題とする。【解決手段】バッテリ電圧を監視し、監視結果を送出するバッテリ監視回路と、非常点灯時のランプ電流を監視し、監視結果を送出する非常点灯監視回路と、ランプ点灯時間を監視し、総点灯時間を送出するランプ寿命監視回路を有して構成してある。そしてバッテリ監視回路と、非常点灯監視回路と、ランプ寿命監視回路の総合結果を表示し、さらにバッテリ監視回路と、非常点灯監視回路と、ランプ寿命監視回路の判定結果を個別に表示できるように構成してある。【選択図】          図１
2005018340.tif 000002
【特許請求の範囲】
【請求項１】
バッテリ電圧を監視し、監視結果を送出するバッテリ監視回路と、非常点灯時のランプ電流を監視し、監視結果を送出する非常点灯監視回路と、ランプ点灯時間を監視し、総点灯時間を送出するランプ寿命監視回路とを有し、
バッテリ監視回路と、非常点灯監視回路と、ランプ寿命監視回路の総合結果を表示し、さらにバッテリ監視回路と、非常点灯監視回路と、ランプ寿命監視回路の判定結果を個別に表示できるように構成したことを特徴とする誘導灯。
【請求項２】
バッテリ監視回路と、非常点灯監視回路と、ランプ寿命監視回路の判定の判定結果をリモコンで操作し得るように構成したことを特徴とする請求項１記載の誘導灯。
【請求項３】
灯具の表示部に複数色のＬＥＤで判定結果を表示するように構成したことを特徴とする請求項１及び請求項２記載の誘導灯。
【発明の詳細な説明】
【０００１】
【発明の属する技術分野】
本発明は誘導灯の改良に関し、特に誘導灯のバッテリの寿命表示と、ランプの寿命表示を簡易に構成し表示することができる構造に関する。
【０００２】
【従来の技術】
誘導灯は一定期間毎に非常点灯するか否か点検することが義務付けられている。点検は一般的には、灯具の一部に設けた点検のために設けた引き紐を引くこと及び押しボタンを押すことにより、点検者が誘導灯を個々に点検することが行われている。
【０００３】
【特許文献】特開平６ー２５９６７３
【０００４】
【発明が解決しようとする課題】
しかし、点検者が誘導灯を個々に点検すると、点検作業に手数を要し、また高所に設置してある場合は、脚立が必要となることがある。また点灯の有無は確認できるが、非常点灯時間を特定することはできない欠点がある。
【０００５】
本発明は上記の点に鑑み発明したものであって、誘導灯の点検作業を容易に行うことができ、また誘導灯の点灯時間の判定、バッテリ寿命時間の判定を行うことができる誘導灯を提供することを目的とする。
【０００６】
【課題を解決するための手段】
本発明は上記課題を解決するために請求項１は、バッテリ電圧を監視し、監視結果を送出するバッテリ監視回路と、非常点灯時のランプ電流を監視し、監視結果を送出する非常点灯監視回路と、ランプ点灯時間を監視し、総点灯時間を送出するランプ寿命監視回路とを有して構成してある。
そしてバッテリ監視回路と、非常点灯監視回路と、ランプ寿命監視回路の総合結果を表示し、さらにバッテリ監視回路と、非常点灯監視回路と、ランプ寿命監視回路の判定結果を個別に表示できるように構成してある。
【０００７】
上記した請求項１に記載の発明によると、誘導灯の点検作業を容易に行うことができ、また誘導灯の点灯時間の判定、バッテリ寿命時間の判定を総合的または個別的に行うことができる。
【０００８】
請求項２に記載の発明は、請求項１に記載の発明におけるバッテリ監視回路と、非常点灯監視回路と、ランプ寿命監視回路の判定の判定結果をリモコンで操作し得るように構成してある。
【０００９】
請求項２に記載の発明によると、高所等に設置した非常灯の点検を容易且つ安全に行うことができる。
【００１０】
請求項３に記載の発明は、請求項１及び請求項２に記載の発明における灯具の表示部に複数色のＬＥＤで判定結果を表示するように構成してある。
【００１１】
請求項３に記載の発明によると、非常灯の点灯時間の判定、バッテリ寿命時間の判定の認識が容易となる。
【００１２】
【発明の実施の形態】
以下本発明を図１について説明する。図１は本発明に係る誘導灯のブロック図である。図において、１は交流電圧の商用電源であり、交流電圧を直流電圧に変換する機能を備えた電源回路２が、商用電源１の停電を検出機能及び、通常点灯と非常点灯を切替る為の信号を送出する機能を有する入力監視回路３と、３線スイッチによりランプ１７を点灯／消灯制御させる機能及び、ランプ１７が異常時にはランプ１７を強制消灯させる機能を備えた点滅制御回路４に接続される。
【００１３】
また電源回路２は充電回路５と切替回路６にも接続され、変換した直流電圧を送出する機能と、点検制御部１６より送出される信号を受信し、電源回路を停止させる機能も有している。前記、充電回路５はバッテリ８に充電する為の定電流機能を備えており、商用電源１が正常な時にはバッテリ８を充電させ、充電時には充電表示部７により充電中を表示する。前記、切替回路６は電源回路２から送出される直流電圧と、バッテリ８から送出される直流電圧のどちらか一方を、直流電圧から交流電圧に変換させランプ１７を点灯させる回路を備えたインバータ回路９に送出する機能を備えており、入力監視回路３からの信号を受信し、商用電源１が正常な時は、電源回路２からの直流電圧を送出し、ランプ１７を通常点灯させ、商用電源１が停電の時は、バッテリ８からの直流電圧を送出し、ランプ１７を非常点灯させる。
【００１４】
１０はバッテリ監視回路であり、点検時による非常点灯において、バッテリ８から、放電されている直流電圧を監視する機能を備え、基準電圧の以上／以下を判定させ、その結果を警報表示部１４に送出する。警報表示部１４は上記の基準電圧判定結果を表示させる他に、非常点灯監視回路１１から送出される判定結果とランプ監視回路１２から送出される判定結果と、ランプ寿命監視回路１３から送出されるランプ寿命結果を表示する機能を有している。前記、非常点灯監視回路１１とランプ監視回路１２は、ランプ電流を監視しており、前者は、点検時による非常点灯において、ランプ１７の点灯時間をカウントし規定時間以上／以下を判定している。後者は、通常点灯非常点灯に係らず、ランプが正常に点灯しているかどうかを監視し、異常時には点滅制御回路４に異常を知らせ、インバータ回路９を停止させランプ１７を強制消灯させる。
又、前記、ランプ寿命監視回路１３は、点滅制御回路４からの点灯信号を受信し、点灯時間をカウントしている。
【００１５】
１５はリモコン受信部であり、点検作業時リモコン１８により信号を受信し、点検制御部１６とバッテリ監視回路１０と非常点灯監視回路１１とランプ寿命監視回路１３に点検開始を知らせる信号を送出し、点検制御部１６により電源回路を強制停止させたと同時にバッテリ監視回路１０と非常点灯監視回路１１とランプ寿命監視回路１３が動作し、自己判定を開始する。又、点検制御部１６には、点検スイッチを設けており、器具より直接非常点灯の確認が出来る。
【００１６】
次に本発明にかかる誘導灯の動作を説明する。
▲１▼商用電源１が正常時は、商用電源１より交流電圧が電源回路２に入力され、電源回路２において直流電圧に変換される。
▲２▼そして充電回路５及び切替回路６に直流電圧が送出される。
▲３▼充電回路５においては、充電表示部７に充電中を表示させると共に、バッテリ８に定電流を供給し充電させる。
▲４▼また商用電源１が正常な為、入力監視回路３では入力が正常であると判断され切替回路６には、電源回路２から送出された直流電圧がインバータ回路９に送出されるよう選択される。
▲５▼そして、インバータ回路９では入力された直流電圧を交流電圧に変換させランプ１７を点灯させる。
▲６▼商用電源１が停電の時は、商用電源１から交流電圧が電源回路２に入力されず、充電回路５と切替回路６に直流電圧が供給されない。又、入力監視回路３では、商用電源１が異常、つまり停電であると判断し、切替回路６にバッテリ８からの直流電圧をインバータ回路９に送出するように切替え、バッテリ８は充電状態から放電状態になる。
このように停電時においてもランプ１７を点灯させることができ、火災等、非常事態において避難口の誘導を行う。人命にかかわる装置である為、非常事態において、確実に規定時間ランプを点灯させなければならなく、点検が重要である。
【００１７】
次に点検動作時について説明する。
▲１▼外部より専用のリモコン１８で点検開始の信号をリモコン受信部１５で受け、リモコン受信部１５より点検制御部１６、バッテリ監視回路１０、非常点灯監視回路１１、ランプ寿命監視回路１３に自己点検を開始する信号を送出する。
▲２▼点検制御部１６では、電源回路２を強制停止させる信号を送出し、電源回路２を停止させる。それにより、商用電源１は正常だが、電源回路２は停止されている為、入力監視回路３では停電と判断し、又、充電回路５と切替回路６には直流電圧が供給されないので、上記、商用電源１が停電の時と同じ動作になる。
▲３▼そして、同時にバッテリ監視回路１０、非常点灯監視回路１１、ランプ寿命監視回路１３が動作し、バッテリ監視回路１０では、バッテリ８の放電電圧を監視し、基準電圧以上／以下を判定する。
ＪＩＬ規格では、例えば、２０分間、又は６０分間非常点灯しなくてはならないと規定されている。
▲４▼２０分後、又は６０分後の基準電圧を放電基準電圧表示値（誘導灯として要求される性能を保証するために、非常電源より供給されるコントロールユニット又は非常用ランプの入力端子電圧）にしておき、その時間内で基準電圧以上であれば正常、以下であれば異常と判定し、異常であれば警報表示部１４に表示させることにより、バッテリ８の寿命が分かり交換の目安になる。
【００１８】
非常点灯監視回路１１では、非常点灯中のランプ電流（ランプ１７に流れる電流）を監視し、ランプ電流が流れているかいないかによりランプ１７の点灯／消灯状態を監視し、有効点灯が規定の時間以上点灯するか判定する。（有効点灯時間の区分は２０分、又は６０分がある）
点灯時間が有効点灯時間に達しない場合は、警報表示部１４に表示させる。
これにより、非常事態において有効時間以上、点灯しないものが検出される。
【００１９】
ランプ寿命監視回路１３では、点滅制御回路４より点灯信号を受信し、ランプ１７が点灯している時間をカウントさせ、点滅制御回路４が消灯信号を送出した時は、カウントを止め、ランプ点灯時間のみ積算させる。
そして、点検時においては、おおよその残り時間を７セグＬＥＤ等で警報表示部１４に表示させる。
ランプ１７は約６万時間で寿命となる為、交換時期の目安となる。（ランプ１７の点灯時間が分かる為、交換時期の目安となる）
以上がリモコン１８操作により自己判定することが出来る。その結果をリモコン１８に返送することにより高いところに設置されている器具においても、判定結果を容易に確認することができる。
【００２０】
【発明の効果】
上記した請求項１に記載の発明によると、誘導灯の点検作業を容易に行うことができ、また誘導灯の点灯時間の判定、バッテリ寿命時間の判定を総合的または個別的に行うことができる特別な効果がある。
【００２１】
請求項２に記載の発明によると、高所等に設置した誘導灯の点検を容易且つ安全に行うことができる特別な効果がある。
【００２２】
上記した請求項３に記載の発明によると、誘導灯の点灯時間の判定、バッテリ寿命時間の判定の認識が容易となる特別な効果がある。
【図面の簡単な説明】
【図１】本発明に係る誘導灯のブロック図。
【符号の説明】
１  商用電源
２  電源回路
３  入力監視回路
４  点滅制御回路
５  充電回路
６  切替回路
７  充電表示部
８  バッテリ
９  インバータ回路
１０  バッテリ監視回路
１１  非常点灯監視回路
１２  ランプ監視回路
１３  ランプ寿命監視回路
１４  警報表示部
１５  リモコン受信部
１６  点検制御部
１７  ランプ
１８  （点検作業時）リモコン
【図１】
2005018340.tif 000003